(57)【要約】【課題】  記録した放送番組中の楽曲シーンを、その曲名で再生指定できる放送番組記録再生装置を提供する。【解決手段】  放送番組の番組データを記録する記録媒体１７、番組データ内の楽曲シーン部分の位置情報を楽曲シーン毎に楽曲チャプターとして検出する検出部２０、当該放送番組のメタデータから曲名情報を抽出する抽出部２１、検出した楽曲チャプターと抽出した曲名情報とを対応付ける対応付け部２３、この対応付けを表示する表示出力部２６、表示した対応付けに基づいて指定した楽曲シーンを記録媒体１７から再生する再生制御部２８を備える。【選択図】  図１
2010003383.tif 000002
【特許請求の範囲】
【請求項１】
放送番組中の楽曲の区切りを示す楽曲シーンの開始位置と終了位置とを検出して前記楽曲シーンの頭出しのための楽曲チャプターマークを形成し、形成した前記楽曲チャプターマークを前記放送番組の番組データに付加して記録する記録手段と、
前記放送番組に関連するメタデータから前記楽曲シーンの曲名データを抽出し、抽出した前記曲名データに関する曲名を前記楽曲チャプターマークの名前として対応付ける対応付け手段と、
再生指定した曲名に対応付けられた前記楽曲チャプターマークを用いて前記楽曲シーンの頭出しを行い、当該楽曲シーンを再生する再生手段とを、
備えたことを特徴とする放送番組記録再生装置。
【請求項２】
前記対応付け手段は、
前記メタデータから前記曲名をリストした曲名リストに関する曲名リストデータを検出すると、検出した前記曲名リストデータから前記曲名データを抽出し、
前記メタデータから前記曲名リストデータを検出しないと、前記メタデータ中の、くくり記号によりくくられた第１の文字列データまたは見出し記号の直後から次の同じ見出し記号の前までもしくは改行までの第２の文字列データを、前記曲名データとして抽出し、抽出した前記第１または前記第２の文字列データに関する文字列を、前記楽曲チャプターマークの名前として対応付ける
ことを特徴とする請求項１に記載の放送番組記録再生装置。
【発明の詳細な説明】
【技術分野】
【０００１】
本発明は、放送番組を記録および再生する放送番組記録再生装置に関する。
【背景技術】
【０００２】
従来、ＨＤＤ（Hard Disk Drive）レコーダやＤＶＤ（Digital Versatile Disc）レコーダなどの放送番組記録再生装置には、放送番組を記録する際に放送番組内の場面であるシーンが切り替わる位置であるシーンチェンジ位置を検出する機能を有するものがある。
【０００３】
この機能により検出したシーンチェンジ位置にインデックスマークを付加しておくことにより、再生時にユーザが所望のシーンの頭出しを容易に行うことができる。
【０００４】
このシーンチェンジ位置の検出およびインデックスマークの付加を利用した技術が、特許文献１に記載されている。
【０００５】
特許文献１に記載の技術は、映像データを記録する際にシーンチェンジ位置を検出し、検出されたシーンチェンジ位置に対応した映像フレームからなるサムネイル画像を生成しこれをインデックス情報として記録する映像記録再生装置に関するものである。
【０００６】
この映像記録再生装置を利用することにより、ユーザはサムネイル画像を参照して録画された映像の中の再生したいシーンを選択することができる。
【０００７】
特許文献２には、放送番組（音楽番組）に含まれている楽曲部分（楽曲シーン）を抽出することが記載されている。
【特許文献１】特開２００６−１０８７２９号公報
【特許文献２】特開２００８−１０８１６６号公報
【発明の開示】
【発明が解決しようとする課題】
【０００８】
さて、数多くのジャンルの放送番組のうちから音楽番組を選択して録画するときには、音楽番組中の楽曲の区切りを示す楽曲シーンごとを楽曲チャプター化しておき、ユーザが再生したい楽曲シーンを曲名情報から選択できようにする場合に、この楽曲チャプターをキーとすることが望まれる。
【０００９】
楽曲シーンとは、トークなどの楽曲以外の部分と、実際にアーティストが演奏している楽曲部分とが混在している放送番組における楽曲部分をいう。放送番組には、一または複数の楽曲シーンが含まれる。
【００１０】
従来の放送番組記録再生装置では、楽曲シーンにそれぞれ対応した楽曲チャプターごとに楽曲チャプター名を付しておき、再生時にこの楽曲チャプター名の一覧から所望のシーンを選択できる機能を有するものもあるが、音楽番組における楽曲シーンの曲名情報を楽曲チャプター名として入力するには録画された楽曲シーンの各曲名を１つ１つ調べた上でユーザが手動で入力しなければならず、手間がかかるという問題があった。
【００１１】
そこで本発明は、このような問題に着目しこれを有効に解決すべく創案されたものであり、放送番組のうちで音楽番組を記録する際は番組中の各楽曲シーン毎に頭出しのためにそれぞれ形成した楽曲チャプターマークを音楽番組に付加して記録し、再生する際には対応付けられた曲名を指定さえすれば当該楽曲の頭出し再生を行うことができる放送番組記録再生装置を提供することを目的とする。
【課題を解決するための手段】
【００１２】
上記課題を解決するために、本発明は、下記（１）〜（２）の手段を提供する。
【００１３】
（１）  放送番組中の楽曲の区切りを示す楽曲シーンの開始位置と終了位置とを検出して前記楽曲シーンの頭出しのための楽曲チャプターマークを形成し、形成した前記楽曲チャプターマークを前記放送番組の番組データに付加して記録する記録手段１６，１７と、
前記放送番組に関連するメタデータから前記楽曲シーンの曲名データを抽出し、抽出した前記曲名データに関する曲名を前記楽曲チャプターマークの名前として対応付ける対応付け手段１８，１９，２３と、
再生指定した曲名に対応付けられた前記楽曲チャプターマークを用いて前記楽曲シーンの頭出しを行い、当該楽曲シーンを再生する再生手段２８とを、
備えたことを特徴とする放送番組記録再生装置１。
【００１４】
（２）  前記対応付け手段は、
前記メタデータから前記曲名をリストした曲名リストに関する曲名リストデータを検出すると、検出した前記曲名リストデータから前記曲名データを抽出し、
前記メタデータから前記曲名リストデータを検出しないと、前記メタデータ中の、くくり記号によりくくられた第１の文字列データまたは見出し記号の直後から次の同じ見出し記号の前までもしくは改行までの第２の文字列データを、前記曲名データとして抽出し、抽出した前記第１または前記第２の文字列データに関する文字列を、前記楽曲チャプターマークの名前として対応付ける
ことを特徴とする上記（１）に記載の放送番組記録再生装置。
【発明の効果】
【００１５】
本発明の放送番組記録再生装置によれば、放送番組のうちで音楽番組を記録する際は番組中の各楽曲シーン毎に頭出しのためにそれぞれ形成した楽曲チャプターマークを音楽番組に付加して記録し、記録してある音楽番組から特定の楽曲シーンを再生する際には対応付けられた曲名を指定さえすれば対応した楽曲チャプターマークを付された楽曲シーンを再生するように構成することにより、装置内で一旦記録した番組の曲名を指定しさえすれば当該楽曲シーンの頭出し再生を行うことができる放送番組記録再生装置を提供することができる。
【発明を実施するための最良の形態】
【００１６】
本発明の一実施形態として、受信した放送番組のうち、複数の楽曲シーンを含む音楽番組を記録し、この記録した音楽番組を、ユーザにより選択された曲名情報に対応する楽曲シーンの位置から再生する放送番組記録再生装置について説明する。以下、「楽曲シーン」を、「放送番組中の楽曲の区切りを示す楽曲シーン」と定義して説明する。
【００１７】
〈一実施形態による放送番組記録再生装置の構成〉
本実施形態による放送番組記録再生装置１の構成を、図１を参照して説明する。
【００１８】
放送番組記録再生装置１は、チューナである放送受信部１１と、デマルチプレクサである信号分離部１２と、リモコン制御受信部１３と、ユーザ制御部１４と、システムコントローラ１５と、番組データ記録制御部１６と、番組データ記録媒体１７と、メタデータ抽出部１８と、内部のデータベースである番組情報登録部１９と、楽曲シーン検出部２０と、曲名情報抽出部２１と、機能設定情報記憶部２２と、楽曲チャプター／曲名対応付け部２３と、操作画面表示制御部２４と、ＧＵＩ画面生成部２５と、画面表示出力部２６と、ユーザテキスト入力部２７と、番組データ再生制御部２８と、イーサネット（登録商標）である通信部２９と、録画予約登録部３０とを有する。
【００１９】
本発明の記録手段は番組データ記録制御部１６と番組データ記録媒体１７とから構成したものに対応し、また本発明の対応付け手段はメタデータ抽出部１８と番組情報登録部１９と楽曲チャプター／曲名対応付け部２３とから構成したものに対応し、そして本発明の再生手段は番組データ再生制御部２８に対応する。
【００２０】
番組記録再生装置１は、数多くのジャンルの放送番組のうちから、音楽番組を選択して記録し、この記録した音楽番組の中にある楽曲シーンに応じた曲名情報を指定して、当該楽曲シーンを再生する放送番組記録再生装置であり、放送電波を受信するアンテナ２と、放送番組を表示するＴＶモニタ４とに接続されている。
【００２１】
放送受信部１１は、アンテナ２で受信された放送電波から、指定されたチャンネルの放送データ（放送番組）を復調する。
【００２２】
信号分離部１２は、放送受信部１１で受信した放送番組を、番組本編の映像および音声データである番組データと、この番組データの付加情報データとに分離する。この放送番組が音楽番組の場合は、楽曲の長さに応じた楽曲シーンを含む番組データと、この番組データに付加しかつ楽曲シーンに応じた曲名情報を含むメタデータとから構成されている。信号分離部１２は放送番組を番組データとメタデータとに分離してそれぞれ出力する。
【００２３】
リモコン制御受信部１３は、ユーザの操作によりリモコン３から送信された放送番組の録画指示信号または再生指示信号を受信し、その指示信号をユーザ制御部１４に送出する。
【００２４】
ユーザ制御部１４は、リモコン制御受信部１３から送出された録画指示信号または再生指示信号により、または、直接ユーザにより操作されたことにより取得した録画指示信号または再生指示信号をシステムコントローラ１５に送出する。
【００２５】
システムコントローラ１５は、番組記録再生装置１内で実行される録画、再生などの各動作が適切なタイミングで動作するように制御を行う。
【００２６】
番組データ記録制御部１６は、信号分離部１２で分離された番組データを取得して、番組データ記録媒体１７に送出してそこに記録するための制御を行う。
【００２７】
番組データ記録媒体１７は、番組データ記録制御部１６から供給される番組データを記録する。
【００２８】
メタデータ抽出部１８は、信号分離部１２で分離出力する付加情報データ、または後述する通信部２９を介してインターネット（登録商標）に接続された外部のデータベースであるＷｅｂコンテンツから、音楽番組中の楽曲に関する番組書誌データであるメタデータを抽出する。
【００２９】
番組情報登録部１９は、メタデータ抽出部１８から供給されるメタデータと、後述する曲名情報リストと、楽曲チャプター／曲名対応付け情報とを、録画される音楽番組ごとに記録することにより登録する。
【００３０】
楽曲シーン検出部２０は、音楽番組の番組データを記録する際、または記録してある番組データ再生する際に、番組データの音声や映像を解析して、楽曲シーン部分を検出し、検出した楽曲シーン部分の開始位置および終了位置を楽曲シーンごとに楽曲チャプターとして番組情報登録部１９に登録する。
【００３１】
換言すれば、楽曲シーン検出部２０は、音楽番組の記録を開始する際に、放送番組のうちから選択した音楽番組中の楽曲シーン部分の開始位置と終了位置とを検出して、楽曲シーンの頭出しのための楽曲チャプターマークを形成し、形成した楽曲チャプターマークを音楽番組に関する音楽番組データに付加して番組情報登録部１９に記録する。
【００３２】
曲名抽出部２１は、放送番組が音楽番組であるときに、番組情報登録部１９に登録されたメタデータから楽曲シーン部分にそれぞれ対応する曲名を抽出して、楽曲チャプター対曲名一覧リストを作成し、番組情報登録部１９に登録する。
【００３３】
機能設定情報記憶部２２は、予め設定された、楽曲チャプターと曲名との対応付け処理を手動または自動で行うかの情報、楽曲チャプター／曲名対応付け部２３で行う処理に関する設定情報を記憶する。
【００３４】
楽曲チャプター／曲名対応付け部２３は、番組情報登録部１９に登録された楽曲チャプター対曲名一覧リストに基づいて、楽曲チャプター／曲名対応情報を生成し、番組情報登録部１９に登録する。
【００３５】
換言すれば、楽曲チャプター／曲名対応付け部２３は、楽曲シーン検出部２０で検出した楽曲チャプター情報と、曲名抽出部２１で抽出された曲名情報とを、対応付けた楽曲チャプター／曲名対応付け情報を生成する。
【００３６】
操作画面表示制御部２４は、ユーザからの指示によりシステムコントローラ１５から楽曲チャプターを曲名との対応付けの確認や修正を行うための対応付け処理画面の表示が指示されたときには、この指示をＧＵＩ画面生成部２５に送出する。また、ユーザからの指示によりシステムコントローラ１５から当該番組内の楽曲チャプター／曲名対応情報をリスト化した再生リスト画面の表示が指示されたときには、この指示をＧＵＩ画面生成部２５に送出する。
【００３７】
ＧＵＩ画面生成部２５は、操作画面表示制御部２４から対応付け処理画面の表示指示を取得すると、対応付け処理を行うためのＧＵＩ画面情報を生成して画面表示出力部２６に送出する。また、操作画面表示制御部２４から再生リスト画面の表示指示を取得すると、番組情報登録部１９から楽曲チャプター／曲名対応情報を取得して所望の再生部分の曲名情報を選択させるためのＧＵＩ画面情報である再生リスト画面情報を生成して画面表示出力部２６に送出する。
【００３８】
画面表示出力部２６は、ＧＵＩ画面生成部２５から取得したＧＵＩ画面情報または番組データ再生制御部２８から取得した番組データを取得し、外部のＴＶモニター４に出力する。
【００３９】
ユーザテキスト入力部２７は、外部のＴＶモニター４に表示されたＧＵＩ画面情報の表示に対するユーザのテキスト入力指示を入力する。
【００４０】
番組データ再生制御部２８は、番組データ記録媒体１７に記録された番組データの中から、ユーザにより選択された曲名に対応する楽曲チャプターの開始位置情報以降の当該音楽番組の楽曲シーン部分を、再生対象データとして読み出してデコードして画面表示出力部２６に送出する。
【００４１】
画面表示出力部２６と番組データ再生制御部２８とは、楽曲チャプター／曲名対応付け部２３で生成した楽曲チャプター／曲名対応付け情報に基づいて、再生を指定した曲名に対応付けられた楽曲シーン部分を開始から終了までの期間再生する番組データ再生手段を構成する。
【００４２】
通信部２９は、インターネット（登録商標）を介して外部のＷｅｂコンテンツのデータベースに接続されている。
【００４３】
録画予約登録部３０は、放送番組の予約録画登録を行なう。
【００４４】
前記した曲名抽出部２１は、メタデータの中に、曲名に関する曲名リストが存在すれば、曲名リストを利用して曲名を抽出し、曲名リストが存在しないときには、メタデータの中の文字列から、くくり記号によりくくられた第１の文字列、または見出し記号の直後から次の同じ見出し記号の前までもしくは改行までの第２の文字列を、曲名情報として抽出する。また、曲名抽出部２１において利用される、くくり記号または見出し記号の種別は、任意に指定または修正が可能である。
【００４５】
また前記したメタデータには、放送番組のジャンルを示すジャンル情報が含まれており、楽曲チャプター情報検出手段である楽曲シーン検出部２０における検出処理および曲名情報抽出手段である曲名抽出部２１における抽出処理はそれぞれ、ジャンル情報により放送番組が音楽番組であると判定されたときに実行される。
【００４６】
楽曲チャプター／曲名対応付け部２３は、楽曲チャプター／曲名対応付け情報に対する修正情報が入力されたときには、この修正情報に基づいて、楽曲チャプター／曲名対応付け情報を更新する。
【００４７】
〈一実施形態による放送番組記録再生装置の動作〉
（１）録画／再生時における楽曲シーン部分の検出・登録処理
番組記録再生装置１により、放送番組ののうちの音楽番組が録画／再生されるときに実行される楽曲シーン部分の検出・登録処理について、図２のフローチャートを参照して説明する。
【００４８】
まず、放送受信部１１は、アンテナ２を介して入来する放送電波から、録画対象の音楽番組が放送される放送チャンネルを受信して、復調した放送データを出力する。
【００４９】
放送受信部１１から出力された放送データは、信号分離部１２に供給され、ここで、番組の映像データおよび音声データからなる番組データと、この番組データの付加情報データとに分離される（ステップＳ１）。この場合、付加情報データはメタデータである。
【００５０】
このように放送データが取得されている状態で、ユーザの操作によりリモコン３の録画ボタン（図示せず）が押下されると、ユーザ制御部１４はこれに応じた録画指示信号を、システムコントローラ１５へ出力する。これによりシステムコントローラ１５は、番組データ記録制御部１６を制御して、信号分離部１２から番組データを番組データ記録媒体１７へ出力せしめる。こうして、放送データを分離したうちの一方の番組データは番組データ記録媒体１７に記録される。
【００５１】
一方、放送データを分離したうちの他方の付加情報データは、信号分離部１２からメタデータ抽出部１８へ供給され、ここで当該番組に関するメタデータが抽出される。こうしてメタデータ抽出部１８で抽出されたメタデータは番組情報登録部１９へ出力され、ここでメタデータを番組ごとに記録することにより、当該番組情報を登録する。
【００５２】
また、メタデータ抽出部１８は、当該番組に関するメタデータを抽出すると、このメタデータに含まれる番組のジャンル情報を読み出して、楽曲シーン検出部２０へ出力する。楽曲シーン検出部２０はこの番組のジャンル情報を取得して、当該番組のジャンルが音楽番組であるか否かを判定する（ステップＳ２）。
【００５３】
楽曲シーン検出部２０は、当該番組のジャンルが音楽番組であると判定したときは（ステップＳ２の「YES」）、番組データ記録制御部１６に対して、前記した番組データのうちの音声データを解析して既知の方法により当該番組データ中の楽曲シーン部分を検出するよう、制御する（ステップＳ３）。なお、既知の方法の一例として、特許文献２に記載の方法を採用することができる。
【００５４】
楽曲シーン検出部２０は、この番組データ中に楽曲シーン部分を検出すると、番組データ内における楽曲シーンの開始位置情報および終了位置情報が、楽曲シーンの区切りを示す楽曲チャプター情報として楽曲シーンごとに生成される（ステップＳ４）。
【００５５】
こうして楽曲シーン検出部２０で生成された楽曲チャプター情報は番組情報登録部１９に出力される。番組情報登録部１９は、楽曲シーン検出部２０から供給される楽曲チャプター情報を、番組ごとに関連付けて登録する（ステップＳ５）。
【００５６】
一方、ステップＳ２において、当該番組のジャンルが音楽番組ではないと判定されたときには（ステップＳ２の「NO」）、楽曲シーン部分の検出および楽曲チャプター情報の生成は行われない。
【００５７】
（２）録画／再生時における曲名情報リストの登録処理
放送番組記録再生装置１により、音楽番組が録画／再生されるときに実行される曲名情報抽出・登録処理について、図３のフローチャートを参照して説明する。
【００５８】
放送番組記録再生装置１は、前記した（１）録画／再生時における楽曲シーン部分の検出・登録処理で説明したように、受信された放送データが番組データと付加情報データとに分離し（ステップＳ１１）、分離された付加情報データであるメタデータから当該番組のジャンルが音楽番組であると判定する（ステップ１２の「YES」）と、曲名抽出部２１において番組情報登録部１９に登録されたメタデータから当該音楽番組に含まれる楽曲シーンの曲名情報が抽出される（ステップＳ１３）。
【００５９】
抽出された曲名情報は番組ごとにリスト化され、番組情報登録部１９に登録される（ステップＳ１４）。
【００６０】
曲名抽出部２１において曲名情報が抽出され番組情報登録部１９に登録される際の処理について、図４のフローチャートを参照して詳細に説明する。
【００６１】
まず、番組情報登録部１９に登録されている当該番組のメタデータが取得され（ステップＳ２１）、このメタデータの中に独立した曲名情報リストが存在するか否かが確認される（ステップＳ２２）。
【００６２】
メタデータの中に独立した曲名情報リストが存在するときには（ステップＳ２２の「YES」）、この曲名情報リストが番組ごとに関連付けられ番組情報登録部１９に登録される（ステップＳ２３）。
【００６３】
ステップＳ２２においてメタデータの中に独立した曲名情報リストが存在しないときには（ステップＳ２２の「NO」）、当該番組のメタデータの文字列の中から、「」、『』、〔〕、〈〉、《》、｛｝、[]、（）、“”、‘’等のくくり記号や、●、○、◎、◆、◇、■、□、・、＊、★、☆等の見出し記号が検出される（ステップＳ２４）。
【００６４】
図５および図６は、取得されたメタデータが表示されたときの番組表画面の一例である。図５、図６にそれぞれ示すように、メタデータの表示画面５１には、番組に関する情報を表示する番組情報表示部５２が表示され、この番組情報表示部５２の中には番組に関する詳細なテキスト情報を表示する番組詳細情報表示部５３と、当該番組のジャンルをマークで示すジャンル記号表示部５４とを有する。
【００６５】
ステップＳ２４においては、この番組情報表示部５２中の番組詳細情報表示部５３に表示される、番組に関する詳細なテキスト情報の表示情報の中から、くくり記号や見出し記号が検出される。
【００６６】
図５においては、番組詳細情報表示部５３の中から、くくり記号〈〉、「」、（）などが検出される。また、図６においては、番組詳細情報表示部５３の中から、見出し記号＊が検出される。
【００６７】
これらのくくり記号や見出し記号は、メタデータの文字列の中から曲名情報を抽出する際の手がかりとされ、くくり記号でくくられた中の文字列、または見出し記号の直後の文字列を曲名情報として予測するために用いられる。
【００６８】
次に、検出されたくくり記号および見出し記号の中から、曲名情報の抽出のために用いられる記号が選択される（ステップＳ２５）。ここで選択される記号は、装置内に初期値として設定しておくかあるいはユーザが指定することにより予め設定しておいてもよいし、曲名情報を検出する際にＧＵＩ（グラフィカルユーザインタフェース）画面や音声案内によりユーザに指定させるようにしてもよい。また、選択された記号により曲名情報が正しく抽出されないとユーザにより判断されたときには、ユーザの操作により他の記号に変更されてもよい。
【００６９】
曲名情報の抽出のために用いられるくくり記号あるいは見出し記号が選択されると、選択されたくくり記号によりくくられた文字列、あるいは見出し記号の直後から次の同じ見出し記号の前までもしくは改行までの文字列が曲名情報として抽出され、抽出された情報をリスト化したリスト情報が生成される（ステップＳ２６）。
【００７０】
リスト情報が生成されると、このリスト情報を表示させるとともに、このリスト情報が、曲名情報リストであるか否かをユーザに判断させるためのＧＵＩ画面情報がＧＵＩ画面生成部２５で生成され、画面表示出力部２６を介してＴＶモニター４に表示される。
【００７１】
ここでリスト情報が曲名情報リストであるか否かをユーザに判断させる際は、全曲分の曲名情報がリスト化されていなくても部分的に曲名情報が含まれていれば曲名情報リストであると判断させることができる。
【００７２】
このＧＵＩ画面情報が表示されたことにより、表示されたリスト情報が曲名情報リストであると判断されたことがユーザテキスト入力部２７からユーザの操作により入力されると（ステップＳ２７の「YES」）、抽出された曲名情報の中のくくり記号の後、または見出し記号の後の文字列（曲名情報）の後の改行等の後に、“他”、“ほか”、“等”“など”等の、抽出された曲名情報がすべてではないと受け取れる文字列があるか否かが判定され（ステップＳ２８）、これらの中のいずれかの文字列があると判定されたときには（ステップＳ２８の「YES」）、抽出された曲名情報が当該番組の全曲分の情報ではない旨を示すフラグをＯＮにした情報が曲名情報リストに付加され（ステップＳ２９）、番組情報登録部１９に番組ごとに登録される（ステップＳ２３）。
【００７３】
また、ステップＳ２８において、抽出された曲名情報がすべてではないと受け取れる文字列がないと判定されたときには（ステップＳ２８の「NO」）、そのまま番組ごとに曲名情報リストが番組情報登録部１９に登録される（ステップＳ２３）。
【００７４】
ステップＳ２７において表示されたリスト情報の内容が曲名情報ではないと判断されたときには（ステップＳ２７の「NO」）、ステップＳ２４で検出されたくくり記号または見出し記号の中に、曲名情報を抽出する際の手がかりとして用いることができる記号が残っているか否かが判定され（ステップＳ３０）、手がかりとして用いることができる記号が残っていれば（ステップＳ３０の「YES」）、ステップＳ２５に戻り、新たに指定されたくくり記号に基づいてリスト情報の生成（ステップＳ２６）、曲名情報リストであるか否かの判断（ステップＳ２７）が行われる。
【００７５】
また、ステップＳ３０において曲名情報を抽出する際の手がかりとして用いることができる記号が全て試され、もう残っていないと判定されたときには（ステップＳ３０の「NO」）、曲名情報抽出が不可能である旨のメッセージをＧＵＩ画面生成部２５、画面表示出力部２６を介してＴＶモニター４に表示させるかまたは音声案内をスピーカ（図示せず）から出力させ、ユーザに知らせる（ステップＳ３１）。
【００７６】
なお、ステップＳ２８における、抽出された曲名情報がすべてではないと受け取れる文字列があるか否かの判断は、ステップＳ２４のくくり記号や見出し記号の検出処理と同時に行うようにしてもよい。
【００７７】
図５のように表示されるメタデータにおいては、くくり記号「」が選択されることにより曲名情報が抽出され、図６のように表示されるメタデータにおいては、見出し記号＊が選択されることにより曲名情報が抽出され、リスト情報が生成される。
【００７８】
ところで、手動の操作により録画処理が行われたとき、あるいはＧコード予約により録画処理が行われた場合には、番組データに関連した番組情報データが得られない場合がある。このような場合に曲名情報リストを登録するときの処理について、図７のフローチャートを参照して説明する。
【００７９】
まず、録画処理が開始されると、手動の操作による録画処理またはＧコード予約による録画処理であるか否かがメタデータ抽出部１８において判断される（ステップＳ３１）。
【００８０】
手動の操作による録画処理またはＧコード予約による録画処理であると判断されたときには（ステップＳ３１の「YES」）、曲名情報の抽出に必要な付加情報データが放送データに含まれているか否かがさらに判断される（ステップＳ３２）。
【００８１】
曲名情報の抽出に必要な付加情報データが放送データに含まれていると判断されたときには（ステップＳ３２の「YES」）、この付加情報データが取得される（ステップＳ３３）。
【００８２】
ステップＳ３２において曲名情報の抽出に必要な付加情報データが放送データに含まれていないと判断されたときには（ステップＳ３２の「NO」）、当該録画されている放送番組の放送チャンネルおよび放送時間帯を手がかりに、ＥＰＧ番組情報から当該番組が類推され、さらにＥＰＧ番組情報から当該番組の番組情報データが取得される（ステップＳ３４）。
【００８３】
ステップＳ３３またはステップＳ３４において付加情報データが取得されると、この付加情報データに含まれるメタデータが番組ごとに番組情報登録部１９に登録される（ステップＳ３５）。
【００８４】
以降は、図３のステップＳ１２〜ステップＳ１４と同様の処理が行われることにより、曲名情報リストが登録される（ステップＳ３６）。
【００８５】
以上の処理により、手動の操作による録画処理またはＧコード予約による録画処理の際も、曲名情報リストが生成、登録される。
【００８６】
（３）楽曲チャプター情報（楽曲シーン部分）と曲名情報との関連付け処理
放送番組記録再生装置１の楽曲チャプター／曲名対応付け部２３により、既に登録された楽曲チャプター情報と曲名情報とを関連付ける処理について、図８のフローチャートを参照して説明する。
【００８７】
楽曲チャプター／曲名対応付け部２３において楽曲チャプター情報と曲名情報との関連付け処理が開始されると、システムコントローラ１５の制御により機能設定情報記憶部２２から楽曲チャプター情報と曲名情報との対応付け処理を自動で行うか否かを示す設定情報（自動対応付け機能“入”または“切”）が取得される。
【００８８】
取得された設定情報により楽曲チャプター情報と曲名情報との対応付け処理を自動で行うことが設定されているとき（自動対応付け機能が“入”であるとき）（ステップＳ４１の「YES」）は、番組情報登録部１９に登録されている、当該番組の楽曲チャプター情報と曲名情報リストとが取得され（ステップＳ４２）、曲名情報リスト内の曲名情報が当該番組の全曲分の情報ではない旨を示すフラグがＯＮである情報が付加されているか否かが判定される（ステップＳ４３）。
【００８９】
曲名情報リスト内の曲名情報が当該番組の全曲分の情報ではない旨を示すフラグがＯＮである情報が付加されていなく、当該番組の全曲分の情報であると判定されたときには（ステップＳ４３の「NO」）、楽曲チャプター情報内の楽曲チャプター数と曲名情報リスト内の曲名数とが同じ数であるか否かが判定される（ステップＳ４４）。
【００９０】
楽曲チャプター数と曲名数とが同じ数であると判定されたときには（ステップＳ４４の「YES」）、曲名情報リスト内の各曲名情報が楽曲チャプター情報内の各楽曲チャプターのチャプター名として順次自動入力され（ステップＳ４５）、この入力された結果を示す楽曲チャプター名／曲名対応付け確認のためのＧＵＩ画面情報がＧＵＩ画面生成部２５で生成されて画面表示出力部２６を介してＴＶモニター４に表示されるかまたは、音声案内で出力されることにより、ユーザに提供される（ステップＳ４６）。
【００９１】
この楽曲チャプター名／曲名対応付け確認のためのＧＵＩ画面情報が表示されたときの一例を、図９に示す。
【００９２】
図９に示す楽曲チャプター名／曲名対応付け確認画面６１は、当該番組名表示部６２、楽曲チャプター番号表示部６３、楽曲チャプター名リスト表示部６４、選択中の楽曲チャプター名のフォーカス６５、曲名情報の抽出に用いたくくり記号表示部６６、抽出された曲名情報をリスト化した抽出曲名リスト表示部６７、選択中の映像データを再生させる確認用小画面６８、再生中の楽曲チャプター番号表示部６９、通常再生、早送り、早戻しなどの再生動作状態表示部７０、当該番組データ内の楽曲チャプター構成および再生中の位置を示すイメージバー表示部７１、操作方法の説明を表示する操作説明文表示部７２、ＧＵＩ画面情報に対するリモコン３による操作内容を表示する操作ガイド表示部７３を有する。
【００９３】
この楽曲チャプター名／曲名対応付け確認画面６１を利用し、ユーザにより確認したいチャプター名が楽曲チャプター名リスト表示部６４の中から選択されると、確認用小画面６８に該当する楽曲チャプターの映像および音声は再生され、当該楽曲チャプターに対応する曲名情報が楽曲チャプター名として入力されているか否かが確認される。
【００９４】
このＧＵＩ画面または音声案内により、各楽曲チャプター名として入力された曲名情報が正しいかどうかがユーザにより判断され、表示された情報で保存されることをユーザが了解されたときには（ステップＳ４７）、入力された楽曲チャプター名が当該番組の楽曲チャプター情報に関連付けられた楽曲チャプター／曲名対応情報が生成されて番組情報登録部１９に登録される（ステップＳ４８）。
【００９５】
また、ステップＳ４３において曲名情報リスト内の曲名情報が当該番組の全曲分の情報ではない旨を示すフラグがＯＮである情報が付加されていると判定されたとき（ステップＳ４３の「YES」）、ステップＳ４４において楽曲チャプター情報内のチャプター数と曲名情報リスト内の曲名数とが同じ数でないと判断されたとき（ステップＳ４４の「NO」）、チャプター情報と曲名情報リストとの対応付けは自動で行われず、楽曲チャプター名／曲名対応付け修正のためのＧＵＩ画面情報を表示させ（ステップＳ４９）、この画面上でユーザの操作により手動で行われる。
【００９６】
ユーザの操作により楽曲チャプター情報と曲名情報リストとの対応付けが行われるときに利用される、楽曲チャプター名／曲名対応付け修正のためのＧＵＩ画面情報の一例を、図１０に示す。
【００９７】
図１０に示す楽曲チャプター名／曲名対応付け修正画面７４は、図９の楽曲チャプター名／曲名対応付け確認画面６１と同様の画面構成を有する。
【００９８】
この楽曲チャプター名／曲名対応付け修正画面７４を利用することにより、ユーザにより、修正したい楽曲チャプター名が楽曲チャプター名リスト表示部６４の中から選択され、楽曲チャプター名が入力され修正される（ステップＳ５０）。
【００９９】
図１０においては、楽曲チャプター番号表示部６３や楽曲チャプター名リスト表示部６４に表示されている楽曲チャプター数と抽出された曲名リスト表示部６７に表示された曲名情報の曲数とが異なることから、登録されたメタデータには全曲分の曲名情報がなく不完全であったことが伺える。
【０１００】
この場合、楽曲チャプター名は自動で入力されておらず、各楽曲チャプター名の初期値として“ChapterN”（Nは楽曲チャプター番号）が入力されており、図１０は既に楽曲チャプター番号004までの楽曲チャプター名がユーザの操作により手動で入力され修正された状態を示す。
【０１０１】
この楽曲チャプター名が曲名リスト表示部６７の曲名から入力される際は、確認用小画面６８に該当する楽曲チャプターの映像および音声を再生させて曲名がユーザにより把握され、図１１に示すように、入力したい楽曲チャプター名が楽曲チャプター名リスト表示部６４の中で選択されフォーカスされた状態（選択された曲名のフォーカス７５）で、曲名リスト表示部６７内の曲名の中からリモコン３の[↑][↓]ボタン（図示せず）の操作によりアクティブなフォーカスが移動されて該当する曲名が選択、決定されることにより入力される。ここでは、楽曲チャプター名“Chapter5”に曲名“It Will Be Wrong”が上書きされ、図１０の状態に戻る。
【０１０２】
また、図１１において、抽出された曲名リスト表示部６７の中の曲名に当該楽曲チャプターの曲名がないとユーザにより判断されたときには、例えばカラーボタンなどに割り当てられている[キーボード入力]ボタンが操作されることにより、携帯電話、ＧＵＩキーボード、またはＵＳＢ等により接続されたキーボード装置等の文字入力手段が用いられ、ユーザにより把握された当該曲名が直接入力されるようにしてもよいし、勿論“ChapterN”のままとしてもよい。この場合、図１１の入力、修正を行うモードから図１０の確認を行うモードへは、リモコン３の[戻る]ボタン（図示せず）、または[←]ボタン（図示せず）などが操作されることにより移行することができる。
【０１０３】
これらの操作により、楽曲チャプター名の確認、修正、または入力等が終了したら、例えば表示された楽曲チャプター名／曲名対応付け修正画面７４上のカラーボタンなどに割り当てられている[保存・終了]ボタンが操作されることにより、確定された楽曲チャプター名が当該番組の楽曲チャプター情報に関連付けられた楽曲チャプター／曲名対応情報が生成されて番組情報登録部１９に登録される（ステップＳ４８）。
【０１０４】
（４）楽曲シーン部分の再生処理
放送番組記録再生装置１により、登録された楽曲チャプター／曲名対応情報を利用して、音楽番組内の所望の楽曲シーン部分が再生される際の処理について図１２〜図１４を参照して説明する。
【０１０５】
まず、ユーザの操作により、リモコン３の再生リストボタン（図示せず）が押下されたことにより、ユーザ制御部１４を介してシステムコントローラ１５に再生番組リスト画面を表示させるための再生リスト表示指示信号が出力される。
【０１０６】
システムコントローラ１５で再生番組リスト表示指示信号が取得されると、操作画面表示制御部２４が制御されて再生番組リスト画面のＧＵＩ画面情報がＧＵＩ画面生成部２５で生成され、画面表示出力部２６を介してＴＶモニター４に表示される。
【０１０７】
再生番組リスト画面が表示されたときの一例を、図１２に示す。
【０１０８】
図１２に示す再生リスト画面８１は、選択中の映像データを再生させる確認用小画面６８、通常再生、早送り、早戻しなどの再生動作状態表示部７０、操作方法の説明を表示する操作説明文表示部７２、ＧＵＩ画面情報に対するリモコン３による操作内容を表示する操作ガイド表示部７３、選択されている番組の詳細情報を表示する詳細情報表示部８２と、番組データ記録媒体１７に記録されている番組の番組名のリストを表示する番組名リスト表示部８３、選択されている番組名のフォーカス８４、各番組のジャンルをアイコンで区別して表示するジャンルアイコン表示部８５を有する。
【０１０９】
この再生リスト画面８１を利用し、ユーザにより所望の番組名が番組名リスト表示部８３の中から選択されてリモコン３の決定ボタン（図示せず）が押下されることにより、当該番組名の番組を再生させるための再生指示信号がシステムコントローラ１５から番組データ再生制御部２８に出力され、番組データ再生制御部２８の制御により当該番組の番組データが番組データ記録媒体１７から取得されて画面表示出力部２６を介してＴＶモニター４に出力され再生される。
【０１１０】
ここで、再生リスト画面８１においてユーザにより所望の番組名が番組名リスト表示部８３の中から選択されて、この選択された番組の楽曲チャプター一覧を表示させるための楽曲チャプター一覧画面表示指示ボタン（図示せず）が操作ガイド表示部７３に表示されたガイドに従って押下されることにより、システムコントローラ１５、操作画面表示制御部２４を介してＧＵＩ画面生成部２５に送出され、ＧＵＩ画面生成部２５により新たな再生リスト画面のＧＵＩ画面情報が生成され、画面表示出力部２６を介してＴＶモニター４に表示されることにより更新される。
【０１１１】
更新された再生番組リスト画面が表示されたときの一例を、図１３に示す。
【０１１２】
図１３に示す更新された再生リスト画面８１は、確認用小画面６８、再生動作状態表示部７０、操作説明文表示部７２、操作ガイド表示部７３に加え、現在選択されている番組の番組名を表示する選択番組名表示部８６、当該番組に含まれる楽曲チャプター数分の楽曲チャプター番号を表示する楽曲チャプター番号表示部８７、各楽曲チャプター番号に対応して楽曲チャプター名として登録されている曲名情報を表示する楽曲チャプター名リスト表示部８８、選択されている楽曲チャプターのフォーカス８９、選択されている楽曲チャプターの詳細情報を表示する詳細情報表示部９０を有する。
【０１１３】
この更新された再生リスト画面８１を利用し、ユーザにより所望の曲名情報が楽曲チャプター名リスト表示部８８の中から選択されてリモコン３の決定ボタン（図示せず）が押下されることにより、当該曲名情報に対応する楽曲シーン部分を再生させるための再生指示信号がシステムコントローラ１５から番組データ再生制御部２８に出力され、番組データ再生制御部２８の制御により当該楽曲シーン部分以降の番組データが番組データ記録媒体１７から取得されて画面表示出力部２６を介してＴＶモニター４に出力され再生される。
【０１１４】
図１４は、番組データ記録媒体１７に記録された番組データおよび番組情報登録部１９に登録された楽曲チャプター／曲名対応情報をＤＶＤにオーサリングしてダビング録画し、このＤＶＤによりメニュー画面を表示させたときの表示画面の一例である。
【０１１５】
図１４に示すＤＶＤメニュー画面９１は、録画された番組のタイトル名を表示するタイトル名表示部９２、当該番組に含まれる楽曲チャプター数分の楽曲チャプター番号を表示する楽曲チャプター番号表示部９３、各楽曲チャプター番号に対応して楽曲チャプター名として登録されている曲名情報を表示する楽曲チャプター名リスト表示部９４、選択されている楽曲チャプターのフォーカス９５を有する。
【０１１６】
このＤＶＤメニュー画面９１を利用し、ユーザにより所望の曲名情報が楽曲チャプター名リスト表示部９４の中から選択されてリモコン等の決定ボタンが押下されることにより、当該曲名情報に対応する楽曲シーン部分の番組データが取得され再生される。
【０１１７】
以上の一実施形態によれば、音楽番組データの中の楽曲シーンのデータ部分を抽出するとともに当該音楽番組に付加されているメタデータから曲名情報を抽出することにより、自動的に楽曲シーンのデータ部分に曲名情報を関連付けることができ、再生時にユーザは曲名情報から再生位置を指定することができる。
【０１１８】
また、当該音楽番組に付加されているメタデータに番組内の全曲分の曲名情報がないときや、正しく関連付けが行われていないとユーザが判断したときには、曲名情報を修正、入力させるための表示画面を表示させることができ、簡易な操作で楽曲チャプター／曲名対応情報を生成させることができる。
【０１１９】
上記の本実施形態においては、曲名情報を取得するためのメタデータは放送データから分離された付加情報データから取得される場合について説明したが、これには限定されず、通信部２９を介してインターネット（登録商標）上の外部のＷｅｂコンテンツから取得されるようにしてもよい。
【０１２０】
また、上記の本実施形態においては、楽曲シーン部分の検出・登録処理および曲名情報リストの登録処理が番組の録画時に行われる場合について説明したが、既に録画された番組の再生時に行われるようにしてもよい。
【０１２１】
また、上記の一実施形態の放送番組記録再生装置１の機能構成をプログラム化してコンピュータに組み込むことにより、当該コンピュータを放送番組記録再生装置１として機能させる放送番組記録再生プログラムを構築することも可能である。
【０１２２】
上述した本発明の説明においては、ひとつの実施例として音楽番組を用いたが、本発明はこうした音楽番組についてのみ限定して適用されるものではなく、こうした楽曲シーンを含む他の番組についても適用できることは勿論である。
【図面の簡単な説明】
【０１２３】
【図１】本発明の一実施形態における放送番組記録再生装置の構成を示すブロック図
【図２】本発明の一実施形態における放送番組記録再生装置により、音楽番組が録画／再生されるときに実行される楽曲シーン部分の検出・登録処理の動作を示すフローチャート
【図３】本発明の一実施形態における放送番組記録再生装置により、音楽番組が録画／再生されるときに実行される曲名情報抽出・登録処理の動作を示すフローチャート
【図４】本発明の一実施形態における放送番組記録再生装置の曲名抽出部において曲名情報が抽出され番組情報登録部に登録される際の動作を示すフローチャート
【図５】本発明の一実施形態における放送番組記録再生装置により取得されたメタデータが表示されたときの番組表画面の一例を示す図
【図６】本発明の一実施形態における放送番組記録再生装置により取得されたメタデータが表示されたときの番組表画面の一例を示す図
【図７】本発明の一実施形態における放送番組記録再生装置において、手動の操作による録画処理またはＧコード予約により音楽番組が録画／再生されるときに実行される曲名情報抽出・登録処理の動作を示すフローチャート
【図８】本発明の一実施形態における放送番組記録再生装置の楽曲チャプター／曲名対応付け部により、既に登録された楽曲チャプター情報と曲名情報とを関連付ける処理の動作を示すフローチャート
【図９】本発明の一実施形態における放送番組記録再生装置により生成され表示された楽曲チャプター名／曲名対応付け確認画面の一例を示す図
【図１０】本発明の一実施形態における放送番組記録再生装置により生成され表示された楽曲チャプター名／曲名対応付け修正画面の一例を示す図
【図１１】本発明の一実施形態における放送番組記録再生装置により生成され表示された楽曲チャプター名／曲名対応付け修正画面の一例を示す図
【図１２】本発明の一実施形態における放送番組記録再生装置により生成され表示された再生リスト画面の一例を示す図
【図１３】本発明の一実施形態における放送番組記録再生装置により生成され表示された再生リスト画面の一例を示す図
【図１４】本発明の一実施形態における放送番組記録再生装置により生成され表示されたＤＶＤメニュー画面の一例を示す図
【符号の説明】
【０１２４】
１…番組記録再生装置
１６…番組データ記録制御部
１７…番組データ記録媒体
１８…メタデータ抽出部（書誌データ抽出手段）
１９…番組情報登録部
２０…楽曲シーン検出部
２１…曲名抽出部（曲名情報抽出手段）
２３…楽曲チャプター／曲名対応付け部
２８…番組データ再生制御部（再生手段、番組データ再生手段）
【図１】
2010003383.tif 000003
【図２】
2010003383.tif 000004
【図３】
2010003383.tif 000005
【図４】
2010003383.tif 000006
【図５】
2010003383.tif 000007
【図６】
2010003383.tif 000008
【図７】
2010003383.tif 000009
【図８】
2010003383.tif 000010
【図９】
2010003383.tif 000011
【図１０】
2010003383.tif 000012
【図１１】
2010003383.tif 000013
【図１２】
2010003383.tif 000014
【図１３】
2010003383.tif 000015
【図１４】
2010003383.tif 000016